(57)【要約】【課題】携帯無線装置の移動状態を基地局番号の変化を用いて判定し、この検出結果より着信報知設定を自動的に設定する。【解決手段】表示部１は現在の携帯無線装置の移動状態を表示する。無線部２は基地局からの信号を受信する。制御部３は携帯無線装置全体の制御を行う。記憶部４は各種設定や基地局番号を保存する。時間計測部５は基地局番号の変化時間を計測する。着信報知部６は、着信音通知、バイブレータ通知等の着信報知モードを設定する。【選択図】      図１
2004254094.tif 000002
【特許請求の範囲】
【請求項１】
携帯無線装置であって、特定の基地局番号に依存することなく、着信報知モードを設定するために捕捉した基地局番号の変化状態を監視することで、前記基地局番号の変化間隔が一定以下であれば交通機関による高速移動中、変化間隔が一定以上であれば歩行による低速移動中、変化がなければ停止状態と判断し、各々に応じた着信報知モードを設定することを特徴とする携帯無線装置。
【請求項２】
携帯無線装置であって、
前記携帯無線装置が、基地局と無線信号を送受信する無線部と、現在の移動状態を表示する表示部と、着信を知らせる着信報知部と、データを記憶する記憶部と、装置全体を制御する制御部とを有し、
前記無線部が、前記基地局からの受信信号を検出し、
前記制御部が、前記受信信号により前記基地局の基地局番号かどうかを判断し、前記記憶部に判断情報を保持することで前記基地局番号の遷移を判断し、遷移結果に応じて前記着信報知部の着信報知モードを自動的に変更することを特徴とする携帯無線装置。
【請求項３】
前記無線部で受信した基地局からの信号内容を一定時間毎に解析することにより、前記基地局番号がどのように変化しているのかを判定し、この判定結果から移動状態・停止状態を判断し、移動の状態に応じた前記着信報知モードを自動的に設定することを特徴とする請求項２記載の携帯無線装置。
【請求項４】
前記基地局からの受信信号より、前記基地局番号が一定時間以下の間隔で変化していることを検出した場合、位置登録動作禁止により一時的に使用不可状態とすることを特徴とする請求項２記載の携帯無線装置。
【請求項５】
携帯無線装置であって、
現在の移動状態を表示する表示部と、基地局からの信号を受信する無線部と、前記携帯無線装置全体の制御を行う制御部と、各種設定や基地局番号を保存する記憶部と、前記基地局番号の変化時間を計測する時間計測部と、着信報知モードを自動変更する着信報知部とを有し、
前記携帯無線装置は、前記基地局からの受信信号を前記無線部で受信し、前記基地局番号を前記制御部により検出するとともに前記記憶部に保存し、前記時間計測部で時間計測を開始し、
前記制御部は、前記無線部が検出した基地局番号が変化したことを検出した場合は、前記時間計測部より前記基地局番号の変化時間を読み出すことで前記携帯無線装置の移動速度を判断し、この移動速度に応じた着信報知モードあるいは位置登録停止を前記記憶部に設定することを特徴とする携帯無線装置。
【請求項６】
一定時間の間に前記基地局番号が変化しない場合は停止状態と判断し、停止状態に応じた着信報知モードを前記記憶部に設定することを特徴とする請求項５記載の携帯無線装置。
【請求項７】
携帯無線装置であって、
現在の移動状態を表示する表示部と、基地局からの信号を受信する無線部と、前記携帯無線装置全体の制御を行う制御部と、各種設定や基地局番号を保存する記憶部と、前記基地局番号の変化時間を計測する時間計測部と、着信報知モードを自動変更する着信報知部とを有し、
前記基地局番号の変化の有無を検出する検出ステップと；
前記基地局番号の変化が有れば前記基地局番号を保存する保存ステップと；
次のステップで時間計測を開始する計測ステップと；
前記基地局番号が変化しているかどうかを判定する判定ステップと；
この判定ステップで、前記基地局番号の変化がなく、かつ一定時間が経過したかどうかを判定する経過判定ステップと；
この経過判定ステップで予め設定した前記一定時間が経過していなければ前記判定ステップに戻り、前記一定時間が経過しこの一定時間の間に前記基地局番号の変化がなければ停止状態と判断し、着信報知モードを停止用に設定する停止用設定ステップと；
前記判定ステップで、前記基地局番号に変化があった場合、前回検出した基地局番号からの変化時間を計測し、得られた移動間隔の結果が、ある一定値より大きいか小さいかを判定する大小判定ステップと；
前記移動間隔が前記一定値より短ければ高速移動中と判定し、着信報知モードを高速移動用に設定する高速移動設定ステップと；
前記移動間隔が前記一定値より長ければ低速移動中と判断し、着信報知モードを低速移動に設定する低速移動設定ステップと；
前記停止用設定ステップ、前記高速移動設定ステップ、前記低速移動設定ステップのそれぞれに応じた着信報知モードあるいは位置登録停止設定／解除を行い、その後、高速移動、低速移動いずれの場合に対しても、基地局番号更新を行い前記計測ステップに戻る設定／解除ステップと；
を備えたことを特徴とする携帯無線装置の着信報知の方法。
【請求項８】
前記着信報知モードは、高速移動中：マナーモード、低速移動中：バイブレータモード、停止状態：着信音報知モードに設定することを特徴とする請求項２、３、４、５、６又は７記載の携帯無線装置。
【請求項９】
移動中の連絡が全く取れなくなる移動中であっても、着信を通知するための制御信号に対して前記基地局との間でデータ通信を行い、着信があったことを通知することを特徴とする請求項８記載の携帯無線装置。
【請求項１０】
前記データ通信において、メール受信を可能とすることで、緊急連絡の余地を残すことを特徴とする請求項９記載の携帯無線装置。
【発明の詳細な説明】
【０００１】
【発明の属する技術分野】
本発明は携帯無線装置に関し、特に基地局からの受信信号を解析することで基地局番号の変化状況を判定し、その結果から移動機の移動状態・停止状態を判断し予め登録した動作から現在の状況に応じた着信報知モードを自動的に設定する携帯無線装置に関する。
【０００２】
【従来の技術】
一般に、携帯電話機の使用者に着信を通知する方法として、着信音による呼出し、またはバイブレータの振動による呼出しがある。携帯電話機のユーザーが、電車やバス等で移動中にはバイブレータが着呼に対して動作するように手動で切り替え設定し、徒歩や停止の通常移動時には着信音が着呼に対して動作するように切り替え設定される。
【０００３】
従って、従来の携帯無線装置は着信報知手段として、着信音報知、バイブレータモード、マナーモード、ドライブモード等を有しているが、それらの着信設定をユーザーが手動で設定しなければならない。このため、設定変更忘れや誤った設定により不都合が生じることがある。
【０００４】
従来の携帯無線装置は、複数の基地局番号を予め記憶しておき、携帯無線装置の移動に伴う位置登録の際、位置登録を行うのに使用した基地局が予め記憶した基地局番号と同じ場合に鳴動呼出しを記憶し、異なる場合に振動呼出しを記憶させる設定をユーザーが自由に選択し、着信時に記憶手段を参照することで、鳴動または振動により着信を通知している（例えば、特許文献１参照。）。
【０００５】
また、移動端末装置が、登録モード設定により基地局の基地局ＩＤを検出して基地局データベースに登録し、着信方法設定部により着信規制やバイブレータの振動による表示設定、時間帯設定部による時間帯を設定し、着信時の基地局ＩＤが基地局データベースに登録されているときは、設定着信方法に従って着信規制あるいはバイブレータ駆動による着信処理を行い、基地局データベースに登録されていないときは通常の着信処理を行うようにしているものもある（例えば、特許文献２参照。）。
【０００６】
さらにまた、一定時間内における複数基地局に対する位置登録動作回数から、移動端末の高速移動中の着信モードを自動的にマナーモードに設定できるようにした無線端末装置及びその着信モード設定方法を行っているものもある（例えば、特許文献３参照。）。
【０００７】
【特許文献１】
特開２０００−７８６５６号公報（第３−５頁、図１）
【特許文献２】
特開平１１−１２２６６８号公報（第２−４頁、図１）
【特許文献３】
特開２０００−１２５３３９号公報（第２−３頁、図１）
【０００８】
【発明が解決しようとする課題】
上述した従来の携帯無線装置は、着信報知手段として、通常音量、バイブレータモード、マナーモード、ドライブモード等があるが、この報知手段の選択が手動となっており操作上面倒であるという欠点を有している。
【０００９】
また、運転中や公共交通機関等で移動中であっても、意図的に設定を変更しない限り着信報知手段が変化しないという欠点を有している。
【００１０】
さらに、設定変更忘れ・誤設定・不完全設定状態が生じる可能性が高く、公共の場での周囲への迷惑あるいは交通事故等の危険が生じるという欠点を有している。
【００１１】
さらにまた、携帯無線装置の動作が登録した基地局番号にのみ影響されるため、携帯無線装置が移動しているときは着信呼出し方法が頻繁に切り替わってしまうこと、登録した基地局のサービスエリアにいる場合は、状態にかかわらず着信報知設定が予め設定した報知手段となってしまうため、着信に気付かない可能性があるという欠点を有している。
【００１２】
本発明の目的は、予め携帯無線装置の着信報知手段を決定する要素を携帯無線装置に記憶させておくことにより、携帯無線装置のおかれた状況を携帯無線装置が捕捉している基地局番号を利用し、基地局番号の変化速度を監視することで携帯無線装置の移動速度検出判定し、移動状況に応じた着信報知手段を自動的に選択・設定する機能を持たせることで、機能・利便性の向上を図る携帯無線装置を提供することにある。
【００１３】
【課題を解決するための手段】
本発明の第１の携帯無線装置は、
携帯無線装置であって、特定の基地局番号に依存することなく、着信報知モードを設定するために捕捉した基地局番号の変化状態を監視することで、前記基地局番号の変化間隔が一定以下であれば交通機関による高速移動中、変化間隔が一定以上であれば歩行による低速移動中、変化がなければ停止状態と判断し、各々に応じた着信報知モードを設定することを特徴としている。
【００１４】
本発明の第２の携帯無線装置は、
携帯無線装置であって、
前記携帯無線装置が、基地局と無線信号を送受信する無線部と、現在の移動状態を表示する表示部と、着信を知らせる着信報知部と、データを記憶する記憶部と、装置全体を制御する制御部とを有し、
前記無線部が、前記基地局からの受信信号を検出し、
前記制御部が、前記受信信号により前記基地局の基地局番号かどうかを判断し、前記記憶部に判断情報を保持することで前記基地局番号の遷移を判断し、遷移結果に応じて前記着信報知部の着信報知モードを自動的に変更することを特徴としている。
【００１５】
本発明の第３の携帯無線装置は、前記第２の携帯無線装置において、
前記無線部で受信した基地局からの信号内容を一定時間毎に解析することにより、前記基地局番号がどのように変化しているのかを判定し、この判定結果から移動状態・停止状態を判断し、移動の状態に応じた前記着信報知モードを自動的に設定することを特徴としている。
【００１６】
本発明の第４の携帯無線装置は、前記第２の携帯無線装置において、
前記基地局からの受信信号より、前記基地局番号が一定時間以下の間隔で変化していることを検出した場合、位置登録動作禁止により一時的に使用不可状態とすることを特徴としている。
【００１７】
本発明の第５の携帯無線装置は、
携帯無線装置であって、
現在の移動状態を表示する表示部と、基地局からの信号を受信する無線部と、前記携帯無線装置全体の制御を行う制御部と、各種設定や基地局番号を保存する記憶部と、前記基地局番号の変化時間を計測する時間計測部と、着信報知モードを自動変更する着信報知部とを有し、
前記携帯無線装置は、前記基地局からの受信信号を前記無線部で受信し、前記基地局番号を前記制御部により検出するとともに前記記憶部に保存し、前記時間計測部で時間計測を開始し、
前記制御部は、前記無線部が検出した基地局番号が変化したことを検出した場合は、前記時間計測部より前記基地局番号の変化時間を読み出すことで前記携帯無線装置の移動速度を判断し、この移動速度に応じた着信報知モードあるいは位置登録停止を前記記憶部に設定することを特徴としている。
【００１８】
本発明の第６の携帯無線装置は、前記第５の携帯無線装置において、
一定時間の間に前記基地局番号が変化しない場合は停止状態と判断し、停止状態に応じた着信報知モードを前記記憶部に設定することを特徴としている。
【００１９】
本発明の第７の携帯無線装置は、
携帯無線装置であって、
現在の移動状態を表示する表示部と、基地局からの信号を受信する無線部と、前記携帯無線装置全体の制御を行う制御部と、各種設定や基地局番号を保存する記憶部と、前記基地局番号の変化時間を計測する時間計測部と、着信報知モードを自動変更する着信報知部とを有し、
前記基地局番号の変化の有無を検出する検出ステップと；
前記基地局番号の変化が有れば前記基地局番号を保存する保存ステップと；
次のステップで時間計測を開始する計測ステップと；
前記基地局番号が変化しているかどうかを判定する判定ステップと；
この判定ステップで、前記基地局番号の変化がなく、かつ一定時間が経過したかどうかを判定する経過判定ステップと；
この経過判定ステップで予め設定した前記一定時間が経過していなければ前記判定ステップに戻り、前記一定時間が経過しこの一定時間の間に前記基地局番号の変化がなければ停止状態と判断し、着信報知モードを停止用に設定する停止用設定ステップと；
前記判定ステップで、前記基地局番号に変化があった場合、前回検出した基地局番号からの変化時間を計測し、得られた移動間隔の結果が、ある一定値より大きいか小さいかを判定する大小判定ステップと；
前記移動間隔が前記一定値より短ければ高速移動中と判定し、着信報知モードを高速移動用に設定する高速移動設定ステップと；
前記移動間隔が前記一定値より長ければ低速移動中と判断し、着信報知モードを低速移動に設定する低速移動設定ステップと；
前記停止用設定ステップ、前記高速移動設定ステップ、前記低速移動設定ステップのそれぞれに応じた着信報知モードあるいは位置登録停止設定／解除を行い、その後、高速移動、低速移動いずれの場合に対しても、基地局番号更新を行い前記計測ステップに戻る設定／解除ステップと；
を備えた着信報知の方法を特徴としている。
【００２０】
本発明の第８の携帯無線装置は、前記第２〜第７のいずれかの携帯無線装置において、
前記着信報知モードは、高速移動中：マナーモード、低速移動中：バイブレータモード、停止状態：着信音報知モードに設定することを特徴としている。
【００２１】
本発明の第９の携帯無線装置は、前記第８の携帯無線装置において、
移動中の連絡が全く取れなくなる移動中であっても、着信を通知するための制御信号に対して前記基地局との間でデータ通信を行い、着信があったことを通知することを特徴としている。
【００２２】
本発明の第１０の携帯無線装置は、前記第９の携帯無線装置において、
前記データ通信において、メール受信を可能とすることで、緊急連絡の余地を残すことを特徴としている。
【００２３】
【発明の実施の形態】
次に、本発明の実施の形態について図面を参照して説明する。
【００２４】
図１は本発明の携帯無線装置の一つの実施の形態を示すブロック図である。
【００２５】
図１に示す本実施の形態は、現在の携帯無線端末の移動状態を表示する表示部１と、基地局からの信号を受信する無線部２と、携帯無線装置全体の制御を行う制御部３と、各種設定や基地局番号を保存する記憶部４と、基地局番号の変化時間を計測する時間計測部５と、着信報知モードを自動変更する着信報知部６とから構成されている。
【００２６】
次に動作を説明する。
【００２７】
携帯無線装置は、基地局（図示せず）からの受信信号を無線部２により受信し、基地局番号を制御部３により検出するとともに記憶部４に保存し、時間計測部５で時間計測を開始する。
【００２８】
無線部２が検出した基地局番号が変化したことを検出した場合は、上記の動作を繰り返すとともに、制御部３は時間計測部５より基地局番号の変化時間を読み出すことで携帯無線装置の移動速度を判断し、それに応じた着信報知モードあるいは位置登録停止を記憶部４に設定する。なお、一定時間（α）の間に基地局番号が変化しない場合は停止状態と判断し、それに応じた着信報知モードを記憶部４に設定する。
【００２９】
図２は本発明の携帯無線装置の動作を示すフローチャートである。
【００３０】
次に、図１および図２を参照して本実施の形態の動作をより詳細に説明する。
【００３１】
基地局番号の変化の有無を検出し（ステップ１：Ｓ１）、基地局番号の変化が有れば基地局番号を保存する（ステップ２：Ｓ２）。次のステップで時間計測を開始する（ステップ３：Ｓ３）。基地局番号が変化しているかどうかを判定する（ステップ４：Ｓ４）。
【００３２】
ステップ４で基地局番号の変化がなく、かつ一定時間（α）が経過したかどうかを判定する（ステップ５：Ｓ５）。ステップ５で予め設定した一定時間（α）が経過していなければステップ４に戻り、一定時間（α）が経過しこの一定時間（α）の間に基地局番号の変化がなければ停止状態と判断し、着信報知手段を停止用に設定する（ステップ６：Ｓ６）。
【００３３】
ステップ４で基地局番号に変化があった場合、前回検出した基地局番号からの変化時間を計測し得られた移動間隔の結果が、ある値（β）より大きいか小さいかを判定する（ステップ７：Ｓ７）。移動間隔がある値（β）より短ければ高速移動中と判定し、着信報知手段を高速移動用に設定する（ステップ８：Ｓ８）。
【００３４】
移動間隔がある値（β）より長ければ低速移動中と判断し、着信報知手段を低速移動に設定する（ステップ９：Ｓ９）。
【００３５】
ステップ６、ステップ８、ステップ９のそれぞれに応じた着信報知モードあるいは位置登録停止設定／解除を行う（ステップ１０：Ｓ１０）。その後、高速移動、低速移動いずれの場合に対しても、基地局番号更新を行いステップ３に戻る（ステップ１１、ステップ１２：Ｓ１１，Ｓ１２）。
【００３６】
この動作ステップを図１で参照すると、携帯無線装置は、表示部１に現在の電波状況等の各種情報を表示し、無線部２により受信された基地局からの受信信号は各種解析が行われ、制御部３で基地局番号が検出されるとともに記憶部４に保存し、時間計測部５で時間計測を開始することになる。
【００３７】
無線部２により基地局番号が変化したことを検出した場合、上記の動作を繰り返すとともに、制御部３が時間計測部５より基地局番号変化時間を読み出すことで、携帯無線装置の移動速度を判断し、それに応じて予め定めた着信報知モードあるいは位置登録停止を記憶部４に設定することになる。
【００３８】
一定時間（α）の間に基地局番号が変化しない場合は停止状態と判断し、それに応じて停止状態時の着信報知モードを記憶部４に設定する。
【００３９】
上記動作を繰り返し行うことで、現在の状況に応じた設定を速やかに行うことが可能となる
なお、着信報知モードの自動設定のみならず位置登録禁止による使用制限があるが、この場合移動中の連絡が全く取れなくなる可能性がある。このため移動中であっても、着信等を通知するための制御信号のみを基地局とのやり取りで可能とし、着信があったことを通知すること、あるいはメール等のデータ通信において受信のみを可能とすることで、緊急連絡等の余地を残すこともできる。
【００４０】
上述の通り、無線部２が検出した基地局からの受信信号より基地局番号を検出し、基地局番号の変化時間を検出して、得られた移動状態の結果と携帯無線装置の着信報知モードの設定を決定することになる。
【００４１】
特に、特定の基地局番号に依存することなく、着信報知モードを設定するために捕捉した基地局番号の変化状態をその決定要素として、基地局番号の変化状況を監視することで、基地局番号の変化間隔が一定以下であれば交通機関等による高速移動中、一定以上であれば歩行等による低速移動中、変化がなければ停止状態と判断することができ、それぞれに応じた着信報知モードが設定可能となる。
【００４２】
各状況に応じた着信報知モードは、ユーザーが任意に決定することが可能である。例えば、高速移動中：マナーモード、低速移動中：バイブレータモード停止状態：着信音報知等と云う具合に、ユーザーにより設定することができる。
【００４３】
また高速移動中は、公共交通機関利用中あるいは運転中の可能性が高いため、このような場合は補足している基地局が変わる毎に行う位置登録動作を強制的に停止させることで、携帯無線装置の使用を制限することも可能である。この位置登録停止動作についても、ユーザーが任意に設定・選択することができる。
【００４４】
従来では、移動速度等の状態に応じて着信報知設定や動作に関する制限を自動的に行う手段がないため、設定変更忘れ・誤設定が生じる可能性が高く周囲への迷惑あるいは交通事故等の危険が生じていたが、携帯無線装置の移動状況を、現在捕捉している基地局番号の変化速度を用いて判断することで着信報知手段を自動的に設定できるため、公共交通機関利用時あるいは運転中における周囲への迷惑防止あるいは危険回避を実現できることになる。
【００４５】
また、基地局番号のみで着信報知手段を決定する場合、特定の基地局番号下でのみ着信報知手段が変化するため、病院等の特定機関における無線装置使用制限には有効であり、それ以外の空間においては有効な手段とはなり得なかったが、本発明では、携帯無線装置の移動状態を捕捉している基地局番号の変化速度を用いて判定しているので、その検出結果に応じた着信報知モードを自動的に設定することができる。
【００４６】
なお、他の実施の形態として、時間計測部５を除去し、携帯無線装置が、基地局と無線信号を送受信する無線部２と、現在の移動状態を表示する表示部１と、着信を知らせる着信報知部６と、データを記憶する記憶部４と、装置全体を制御する制御部３とから構成され、無線部２が、基地局からの受信信号を検出し、制御部３が、受信信号により基地局の基地局番号かどうかを判断し、記憶部４に判断情報を保持することで基地局番号の遷移を判断し、遷移結果に応じて着信報知部６の着信報知モードを自動的に変更するように構成することも可能である。
【００４７】
無線部２で受信した基地局からの信号内容を一定時間毎に解析することにより、基地局番号がどのように変化しているのかを判定し、この判定結果から移動状態・停止状態を判断し移動の状態に応じた着信報知モードを自動的に設定することになる。
【００４８】
なお、基地局からの受信信号より、基地局番号が一定時間以下の間隔で変化していることを検出した場合、位置登録動作禁止により一時的に使用不可状態とすることもできる。
【００４９】
【発明の効果】
以上説明したように、本発明の携帯無線装置は、移動速度に応じた着信報知手段と動作状態とを、携帯無線装置が捕捉している基地局番号を利用して基地局番号の変化を検出し、その変化速度を監視することで高速移動中／低速移動中／停止中等の状況を判断して自動的に設定することができるので、公共交通機関利用時あるいは運転中における周囲への迷惑防止あるいは危険回避を実現し、機能および利便性の向上を図るという効果を有している。
【図面の簡単な説明】
【図１】本発明の携帯無線装置の一つの実施の形態を示すブロック図である。
【図２】本発明の携帯無線装置の動作を示すフローチャートである。
【符号の説明】
１    表示部
２    無線部
３    制御部
４    記憶部
５    時間計測部
６    着信報知部
【図１】
2004254094.tif 000003
【図２】
2004254094.tif 000004